(57)【要約】【課題】平坦性等を維持でき、印刷を施せ、熟練を要せず、金箔表面に綺麗な蒔絵Ｂを簡単に且つ短時間で設けられ、外観上の体裁が良く、構成が簡素で、製造し易く、耐久性に優れ、軽量で、取扱い易く、量産に適し、経済的な人形用屏風を提供する。【解決手段】その表面の全て或いは一部を金箔５ｂで被覆した屏風構成板本体Ａと、金箔５ｂ表面にスクリーン印刷手段によって適宜表現する蒔絵Ｂと、屏風構成板本体Ａの外縁部分に配する装飾枠材Ｃと、装飾枠材Ｃに固定する装飾金具Ｄとを備え、屏風構成板本体Ａは、ベース枠材１と、ベース枠材１の枠内に配する充填芯材２と、ベース枠材１及び充填芯材２の表面と裏面を夫々覆うように固定する薄板材３と、裏面がわ薄板材３表面に配する裏面被覆材４と、表面がわ薄板材３表面に配する台紙付金箔シート５とからなり、この台紙付金箔シート５は、台紙５ａの表面に金箔５ｂを配して構成する。【選択図】図２
0003127315.tif 000002
【実用新案登録請求の範囲】
【請求項１】
三月節句人形や五月節句人形やその他の人形の背面を飾ることができるように構成された人形用屏風であって、全体略矩形板状に形成されると共に、その表面の全て或いは一部が金箔で被覆されている屏風構成板本体と、この屏風構成板本体の金箔表面にスクリーン印刷手段によって適宜表現される蒔絵と、屏風構成板本体の外縁部分に配される装飾枠材と、この装飾枠材の適宜位置に固定される装飾金具とを備え、前記屏風構成板本体は、矩形枠状のベース枠材と、このベース枠材の枠内に配される充填芯材と、ベース枠材及び充填芯材の表面と裏面を夫々覆うように固定される薄板材と、裏面がわの薄板材表面に配される裏面被覆材と、表面がわの薄板材表面に配される台紙付金箔シートとからなり、この台紙付金箔シートは、台紙の表面に金箔を配して構成したことを特徴とする人形用屏風。
【請求項２】
前記充填芯材は、切込線を設けた複数の厚紙製横帯板片と、切込線を設けた複数の厚紙製縦帯板片とで、略格子状に組立てて構成したことを特徴とする請求項１記載の人形用屏風。
【考案の詳細な説明】
【技術分野】
【０００１】
本考案は、主に、三月節句人形や五月節句人形やその他の人形の背面を飾ることができるように構成された人形用屏風に係り、特に、金箔表面に綺麗な蒔絵を簡単に設けられ、外観上の体裁が良く、構成が簡素で、耐久性に優れ、軽量で、取扱い易く、量産に適し、経済的となるように工夫した人形用屏風に関するものである。
【背景技術】
【０００２】
従来、この種の人形用屏風としては、例えば、特許文献１に示すように適宜木製板材を利用して構成されたものが比較的数多く提供されている。すなわち、適宜木製板材の表面に適宜塗装を施したものや、更にその表面に適宜図柄を描出したもの等を適宜ヒンジ手段を介して折畳み自在に連結するように構成されたものが提供されている。
【０００３】
また、金箔を使用した人形用屏風にあっては、例えば、筋交いや格子等で補強した矩形枠を形成し、この矩形枠の表面と裏面に矩形状の紙を貼り、この紙の上に、薄い和紙をミノ貼りし、このミノ貼りした和紙の上に、更に紙を貼り（清貼り）、この上に金箔を貼ってある紙を貼り、更に、金箔の表面に、手作業で蒔絵を描出するような手段を採用していた。
【０００４】
【特許文献１】実用新案登録第３０２７５９０号公報
【考案の開示】
【考案が解決しようとする課題】
【０００５】
しかしながら、前者のような木製板材を利用して構成された人形用屏風にあっては、比較的重いものとなり、その取扱いが面倒となる難点があった。
また、後者のような金箔を使用した人形用屏風にあっては、その構成が比較的複雑で、製造が面倒となる難点があった。特に、金箔の表面に手作業で蒔絵を描出する作業は、熟練を要し、しかも、手間がかかる難点等があった。
【０００６】
そこで、本考案は、前述の如き難点等を解消でき、熟練を要することなく金箔表面に綺麗な蒔絵を簡単に且つ短時間で設けられ、外観上の体裁が良く、しかも、構成が簡素で、製造し易く、耐久性に優れ、軽量で、取扱い易く、量産に適し、経済的な人形用屏風を提供できるようにすべく案出されたものである。
【課題を解決するための手段】
【０００７】
しかして、前述の如き課題等を達成すべく、請求項１記載の人形用屏風にあっては、三月節句人形や五月節句人形やその他の人形の背面を飾ることができるように構成された人形用屏風であって、全体略矩形板状に形成されると共に、その表面の全て或いは一部が金箔５ｂで被覆されている屏風構成板本体Ａと、この屏風構成板本体Ａの金箔５ｂ表面にスクリーン印刷手段によって適宜表現される蒔絵Ｂと、屏風構成板本体Ａの外縁部分に配される装飾枠材Ｃと、この装飾枠材Ｃの適宜位置に固定される装飾金具Ｄとを備え、前記屏風構成板本体Ａは、矩形枠状のベース枠材１と、このベース枠材１の枠内に配される充填芯材２と、ベース枠材１及び充填芯材２の表面と裏面を夫々覆うように固定される薄板材３と、裏面がわの薄板材３表面に配される裏面被覆材４と、表面がわの薄板材３表面に配される台紙付金箔シート５とからなり、この台紙付金箔シート５は、台紙５ａの表面に金箔５ｂを配して構成する手段を採用した。
【０００８】
また、請求項２記載の人形用屏風にあっては、前記充填芯材２は、切込線を設けた複数の厚紙製横帯板片２ａと、切込線を設けた複数の厚紙製縦帯板片２ｂとで、略格子状に組立てて構成する手段を採用した。
【考案の効果】
【０００９】
従って、本考案の請求項１記載の人形用屏風によれば、薄板材３等によって屏風構成板本体Ａ表面の平坦性等を維持できるようになり、その表面にスクリーン印刷手段による印刷を施せるようになる。そのため、スクリーン印刷手段によって熟練を要することなく金箔５ｂ表面に綺麗な蒔絵Ｂを簡単に且つ短時間で設けられるようになり、外観上の体裁が良い人形用屏風を提供できるようになる。
しかも、その構成が比較的簡素で、製造し易く、耐久性に優れ、軽量で、取扱い易く、量産に適し、経済的な人形用屏風となる。
【００１０】
また、本考案の請求項２記載の人形用屏風によれば、充填芯材２によって、人形用屏風全体をより軽量に且つ強固に構成できるようになる。
【考案を実施するための最良の形態】
【００１１】
以下、本考案を図示例に基づいて説明すると、次の通りである。
本考案は、例えば、三月節句人形や五月節句人形やその他の人形の背面を飾ることができるように構成された人形用屏風である。
そして、この人形用屏風は、全体略矩形板状に形成されると共に、その表面の全て或いは一部が金箔５ｂで被覆されている屏風構成板本体Ａと、この屏風構成板本体Ａの金箔５ｂ表面にスクリーン印刷手段によって適宜表現される蒔絵Ｂと、屏風構成板本体Ａの外縁部分に配される装飾枠材Ｃと、この装飾枠材Ｃの適宜位置に固定される装飾金具Ｄとを備え、しかも、複数の屏風構成板本体Ａを、適宜連結手段を介して折畳み自在に連結して構成されたものである。
更に、前記屏風構成板本体Ａは、矩形枠状のベース枠材１と、このベース枠材１の枠内に配される充填芯材２と、ベース枠材１及び充填芯材２の表面と裏面を夫々覆うように固定される薄板材３と、裏面がわの薄板材３表面に配される裏面被覆材４と、表面がわの薄板材３表面に配される台紙付金箔シート５とからなり、この台紙付金箔シート５は、台紙５ａの表面に金箔５ｂを配して構成されている。
【００１２】
しかも、前記充填芯材２は、切込線を設けた複数の厚紙製横帯板片２ａと、切込線を設けた複数の厚紙製縦帯板片２ｂとで、略格子状に組立てて構成されている。
【実施例】
【００１３】
前記屏風構成板本体Ａは、例えば、適宜木製角材によって略矩形枠状に形成されるベース枠材１と、このベース枠材１の枠内に配される適宜紙製充填芯材２と、ベース枠材１及び充填芯材２の表面と裏面を夫々覆うように固定される適宜木製薄板材３と、裏面がわの薄板材３表面に配される適宜布製の裏面被覆材４と、表面がわの薄板材３表面に配される台紙付金箔シート５とで構成されている。
【００１４】
前記ベース枠材１は、例えば、９ｍｍ角程度の木製角材を、その角部で連結固定することによって略矩形枠状に形成されている。尚、ベース枠材１は、適宜合成樹脂材や、適宜金属材や、適宜複合材等によって構成されたものでも良いし、略矩形枠状に一体的に構成されたものであっても良い。
【００１５】
前記充填芯材２は、例えば、９ｍｍ幅程度の複数の横帯板片２ａと、９ｍｍ幅程度の複数の縦帯板片２ｂとを厚紙で夫々形成し、横帯板片２ａの一方（或いは他方）の長辺部分に所定間隔で幅の略１／２の切込線を設けると共に、縦帯板片２ｂの他方（或いは一方）の長辺部分に所定間隔で幅の略１／２の切込線を設け、これらの切込線相互を嵌め込むようにして、略格子状に組立てて構成されている。しかも、この充填芯材２は、ベース枠材１の枠内にきちんと収まるように形成されている。尚、充填芯材２は、適宜合成樹脂材や、適宜金属材や、適宜複合材等によって構成されたものでも良いし、略蜂の巣状等に構成したものであっても良い。
【００１６】
前記薄板材３は、例えば、適宜木製の薄板材（例えば、ベニヤ等）で構成したり、或いは、適宜木製の薄板材（例えば、ベニヤ等）の表面に適宜紙材を予め接着したものでも良い。そして、この薄板材３は、ベース枠材１及び充填芯材２の表面及び裏面に適宜接着剤を介して接着されるが、このとき、適宜圧力（例えば、１０ｔ程度）を加えた状態で接着しておく。すなわち、薄板材３の接着がより確実に行えるようになると共に、薄板材３がより平坦な状態となるように配慮されている。尚、薄板材３は、適宜合成樹脂材や、適宜金属材や、適宜複合材等によって構成されたものでも良い。
【００１７】
前記裏面被覆材４は、例えば、適宜布材等で構成され、裏面がわの薄板材３の表面に接着されて、その体裁等を良くできるように設けられている。尚、裏面被覆材４は、適宜合成樹脂材や、適宜金属材や、適宜複合材等によって構成されたものでも良い。
【００１８】
前記台紙付金箔シート５は、例えば、略矩形状に形成される紙製台紙５ａと、この台紙５ａ表面の全て或いは一部に貼り付けて被覆される金箔５ｂとからなる。
ところで、台紙５ａは、例えば、前記薄板材３の表面に設けられた適宜紙材を利用するようにしても良い。
また、金箔５ｂは、例えば、１０ｃｍ角程度のものを順次貼り付けるようにして構成される。
【００１９】
前記蒔絵Ｂは、例えば、金箔５ｂの表面にシルクスクリーン印刷手段によって設けられ、しかも、適宜自由な図柄を採用できるものである。
【００２０】
前記装飾枠材Ｃは、例えば、黒塗りした木製角材等によって構成され、屏風構成板本体Ａの外周部分に釘着されて、屏風構成板本体Ａの外周部分の強度を高めると共に、外観上の体裁がより良くなるように構成されている。尚、装飾枠材Ｃは、適宜合成樹脂材や、適宜金属材や、適宜複合材等によって構成されたものでも良い。
【００２１】
前記装飾金具Ｄは、例えば、装飾枠材Ｃの角部を覆うように釘着される金属製角金具や、装飾枠材Ｃの中間部分に釘着される金属製中金具等によって構成され、屏風構成板本体Ａの角部の強度を高めると共に、外観上の体裁がより良くなるように設けられている。尚、装飾金具Ｄは、適宜合成樹脂材や、適宜金属材や、適宜複合材等によって構成されたものでも良い。
【００２２】
複数の屏風構成板本体Ａを折畳み自在に連結する前記連結手段は、例えば、布ヒンジや、合成樹脂製ヒンジや、蝶番等が利用されるようになる。
【００２３】
ところで、人形用屏風の具体的構成、形状、寸法、材質、屏風構成板本体Ａの具体的構成、形状、寸法、材質、配設位置、数、連結手段の具体的構成、配設位置、数、ベース枠材１の具体的構成、形状、寸法、材質、充填芯材２の具体的構成、形状、寸法、材質、横帯板片２ａの具体的構成、形状、寸法、材質、数、配設状態、縦帯板片２ｂの具体的構成、形状、寸法、材質、数、配設状態、薄板材３の具体的構成、形状、寸法、材質、裏面被覆材４の具体的構成、形状、寸法、材質、台紙付金箔シート５の具体的構成、形状、寸法、材質、数、配設位置、台紙５ａの具体的構成、形状、寸法、材質、金箔５ｂの具体的構成、形状、寸法、材質、数、配設位置、蒔絵Ｂの具体的構成、形状、寸法、配設位置、装飾枠材Ｃの具体的構成、形状、寸法、材質、装飾金具Ｄの具体的構成、形状、寸法、材質、数、配設位置等は図示例のもの等に限定されることなく適宜自由に設定、変更できるものである。
【図面の簡単な説明】
【００２４】
【図１】本考案の人形用屏風を例示する正面図である。
【図２】本考案の人形用屏風の屏風構成板本体を例示する一部切欠分解斜視図である。
【図３】本考案の人形用屏風の屏風構成板本体の製造工程を例示する一部省略概略図である。
【符号の説明】
【００２５】
Ａ      屏風構成板本体
１      ベース枠材
２      充填芯材
２ａ    横帯板片
２ｂ    縦帯板片
３      薄板材
４      裏面被覆材
５      台紙付金箔シート
５ａ    台紙
５ｂ    金箔
Ｂ      蒔絵
Ｃ      装飾枠材
Ｄ      装飾金具
【図１】
0003127315.tif 000003
【図２】
0003127315.tif 000004
【図３】
0003127315.tif 000005